(57)【特許請求の範囲】
【請求項１】
外枠（Ａ）と、外枠（Ａ）に着脱可能としたガラリー（Ｂ）からなり、ガラリー（Ｂ）は、外枠（Ａ）の前面側の内周縁部に接する前側周部を有し、外枠（Ａ）の内周縁部とガラリー（Ｂ）の前側周部に互いの係合手段（Ａ４０）（Ｂ１２ｅ）を設けており、前記係合手段（Ａ４０）（Ｂ１２ｅ）は、外枠（Ａ）とガラリー（Ｂ）との相対回転にともなって移動する突起（Ｂ１２ｅ）と案内部（Ａ４０）からなり、案内部（Ａ４０）には、突起（Ｂ１２ｅ）が嵌り込んでロック状態になる嵌め込み部（Ａ４１）を設けており、嵌め込み部（Ａ４１）は、案内部（Ａ４０）の終端付近に外枠（Ａ）の前面側の中心方向に突出した箇所を設けることにより形成されたものであることを特徴とする換気口。
【請求項２】
外枠（Ａ）の内側に段を形成し、当該段の内周縁部に半径方向に切欠した箇所を形成して案内部（Ａ４０）とした請求項１記載の換気口。
【請求項３】
ガラリー（Ｂ）に位置合わせ用印（Ｂ１２ｆ）を形成するとともに、外枠（Ａ）に、ガラリー（Ｂ）の位置合わせ用印（Ｂ１２ｆ）を合わせたときにガラリー（Ｂ）の突起（Ｂ１２ｅ）が案内部（Ａ４０）において閉方向へ移動可能な状態になる位置合わせ用印（Ａ２０ａ）と、ガラリー（Ｂ）の位置合わせ用印（Ｂ１２ｆ）を合わせたときにガラリー（Ｂ）の突起が嵌め込み部（Ａ４１）に嵌りこんだ状態になる位置合わせ用印（Ａ２０ｂ）を形成した請求項１又は２記載の換気口。
【発明の詳細な説明】
【技術分野】
【０００１】
この発明は、建物内の換気を行うための換気口に関するものである。
【背景技術】
【０００２】
従来、建物内の換気を行うための換気口に関し、特許文献１に、グリル１２と一体のフレーム１４と取付枠１６を着脱可能にしたものが記載されている。しかし、この従来の換気口は、グリル側と取付枠側にそれぞれローラーキャッチ金具の雌側と雄側の一方を取り付けたものであるため、製造時に金具を取り付けるための工程が必要であった。
【先行技術文献】
【特許文献】
【０００３】
【特許文献１】特開２０００−３５６３９１号公報
【発明の概要】
【発明が解決しようとする課題】
【０００４】
そこで、この発明は、より製造容易な構造で、外枠とガラリーを簡単に着脱可能かつ、装着状態を維持できるようにした換気口を提供することを課題とする。
【課題を解決するための手段】
【０００５】
前記課題を解決するため、この発明は次のような技術的手段を講じている。
【０００６】
この発明の換気口は、外枠Ａと、外枠Ａに着脱可能としたガラリーＢからなり、ガラリーＢは、外枠Ａの前面側の内周縁部に接する前側周部を有し、外枠Ａの内周縁部とガラリーＢの前側周部に互いの係合手段Ａ４０，Ｂ１２ｅを設けており、前記係合手段Ａ４０，Ｂ１２ｅは、外枠ＡとガラリーＢとの相対回転にともなって移動する突起Ｂ１２ｅと案内部Ａ４０からなり、案内部Ａ４０には、突起Ｂ１２ｅが嵌り込んでロック状態になる嵌め込み部Ａ４１を設けており、嵌め込み部Ａ４１は、案内部Ａ４０の終端付近に外枠Ａの前面側の中心方向に突出した箇所を設けることにより形成したものとしている。
【０００７】
外枠Ａの内側に段を形成し、当該段の内周縁部に半径方向に切欠した箇所を形成して案内部Ａ４０とすることができる。
【０００８】
また、ガラリーＢに位置合わせ用印Ｂ１２ｆを形成するとともに、外枠Ａに、ガラリーＢの位置合わせ用印Ｂ１２ｆを合わせたときにガラリーＢの突起Ｂ１２ｅが案内部Ａ４０において閉方向へ移動可能な状態になる位置合わせ用印Ａ２０ａと、ガラリーＢの位置合わせ用印Ｂ１２ｆを合わせたときにガラリーＢの突起が嵌め込み部Ａ４１に嵌りこんだ状態になる位置合わせ用印Ａ２０ｂを形成したものとすることができる。
【発明の効果】
【０００９】
この発明の換気口は、上述のような構成を有しており、外枠とガラリーを簡単に着脱可能かつ、外枠ＡとガラリーＢの相対回転させることにより、互いの係合手段Ａ４０，Ｂ１２ｅを係合・解除することができ、しかも、突起Ｂ１２ｅが嵌め込み部Ａ４１に嵌り込むことによりロック状態になり、外枠とガラリーの装着状態を維持できるようになっている。
【図面の簡単な説明】
【００１０】
【図１】この発明の実施形態の換気口の、外枠とガラリーを分離し、さらにガラリーからフィルター及びフィルター押さえ具を分離した状態を示す斜視図である。
【図２】ガラリーの分解斜視図である。
【図３】換気口の正面図である。
【図４】図３のＸ−Ｘ線断面図である（厚みの小さいフィルターを装着した場合）。
【図５】図３のＸ−Ｘ線断面図である（厚みの大きいフィルターを装着した場合）。
【図６】外枠の正面図である。
【図７】図６のＹ−Ｙ線断面図である。
【図８】ガラリー主体の斜視図である。
【図９】シャフトの正面図である。
【図１０】気密バルブの正面図（前面側）である。
【図１１】ガラリー後部の正面図（前面側）である。
【図１２】図１１のＺ−Ｚ線断面図である。
【発明を実施するための形態】
【００１１】
以下、この発明の好適な実施形態を、図面を参照して説明する。
【００１２】
〔換気口の概要〕
図１に示したように、この換気口は、外枠Ａと、外枠Ａの内側に着脱可能としたガラリーＢからなるものとしており、ガラリーＢは、フィルター着脱機構Ｃを有している。この換気口の構成部材は、パッキンＢ１３，Ｂ１５ｄ及びフィルターＣ２０を除き、ＡＢＳ樹脂等の合成樹脂製とすることができる。
【００１３】
外枠Ａは、図６、図７に示したように、壁に設けた孔に取り付けられる筒部Ａ１０と、筒部Ａ１０の前側に位置して室内側に露出する鍔部Ａ２０からなる。
【００１４】
外枠Ａの内周において、筒部Ａ１０と鍔部Ａ２０との接続箇所Ａ３０は二段の階段状になっている。このうち上段の内周縁部に半径方向に切欠した箇所を等間隔で３か所形成し、これらを係合手段としての案内部Ａ４０としている。各案内部Ａ４０は内周縁に沿って円弧状に延び、時計回り（閉方向）に移動した場合に終端となる箇所の手前に中心方向に突出した箇所を設けて終端に嵌め込み部Ａ４１を形成している。
【００１５】
筒部Ａ１０には、内周面の後部寄りの位置に略Ｌ字状の突起Ａ１１を等間隔で４か所形成している。
【００１６】
ガラリーＢは、図２に示したように、ガラリー前部Ｂ１０とガラリー後部Ｂ２０からなり、ガラリー前部Ｂ１０は、ツマミＢ１１、ガラリー主体Ｂ１２、リング状パッキンＢ１３、シャフトＢ１４、気密バルブＢ１５から構成される。
【００１７】
ガラリー主体Ｂ１２は、図８に示したように、ガラリー主体筒状部分Ｂ１２ａの開口した前面側に、前方に向かって拡径する複数の輪状部分が同心円状に配置された前面通気部Ｂ１２ｂと前面通気部Ｂ１２ｂの最内部から半径方向に延びる４つの直線状部Ｂ１２ｃを設けており、前面側の前面通気部Ｂ１２ｂの最内部の中心にはシャフトＢ１４の前端部が貫通するシャフト孔Ｂ１２ｄを有している。前面通気部Ｂ１２ｂの最外部は、ガラリー主体筒状部分Ｂ１２ａより径が大きくなっており、その外周縁部が前記外枠Ａの筒部Ａ１０と鍔部Ａ２０との接続箇所Ａ３０にリング状パッキンＢ１３を介して嵌合するようになっている。リング状パッキンＢ１３は、合成ゴム発泡体からなるものとしている。
【００１８】
また、前記外周縁部には、係合手段としての突起Ｂ１２ｅが３か所に形成されており、ガラリーＢを外枠Ａに装着し回動させたときに、突起Ｂ１２ｅが案内部Ａ４０に接して移動できるようになっている。
【００１９】
シャフトＢ１４は、図９に示したように、外周面に螺子Ｂ１４ａを形成し、前部にガラリーＢの前記シャフト孔Ｂ１２ｄに嵌合する部分Ｂ１４ｂとツマミＢ１１を取り付けるための断面Ｄ字状の前端部Ｂ１４ｃ、及び後述のフィルター前面当接部Ｃ３０の窪みＣ３３に枢支される後端部Ｂ１４を有している。
【００２０】
気密バルブＢ１５は、図１０に示したように、全体的に円板状で、中心にシャフトＢ１４が貫通する短い筒状部Ｂ１５ａと、筒状部Ｂ１５ａからから半径方向に突出する４つの直線状部Ｂ１５ｂを有している。前記筒状部Ｂ１５ａの内周面には、シャフトＢ１４の螺子Ｂ１４ａの谷に入る凸部Ｂ１５ｃが等間隔に４つ形成されており、シャフトＢ１４を正逆に回転させることにより、気密バルブＢ１５が前後に移動させられるようにしている。
【００２１】
また、気密バルブＢ１５の後面には、薄い板状の気密パッキンＢ１５ｄが接着固定されている。気密パッキンＢ１５ｄは、円板状の合成ゴム発泡体からなるものとしている。この気密パッキンＢ１５ｄの後面が、気密バルブＢ１５の平面状の接触面を構成する。
【００２２】
ガラリー後部Ｂ２０は、図１１、図１２に示したような形状で、その前面側を前記ガラリー主体Ｂ１２の後端部に嵌め込んで接着固定されるようにしたものであり、フィルター囲み部Ｃ１０の内側に配したフィルターＣ２０を、フィルター前面当接部Ｃ３０とフィルターＣ２０の後面側に取り付けられるフィルター押さえ具Ｃ４０の間に挟んで保持するようにしたフィルター着脱機構Ｃを有している。
【００２３】
フィルター前面当接部Ｃ３０は、円板状で内側に通気孔Ｃ３１を有するとともに、十字状部分Ｃ３２を設けてその中心にシャフトＢ１４の後端部Ｂ１４を枢支する窪みＣ３３を形成している。通気孔Ｃ３１は、前記気密バルブＢ１５の平面状の接触面（気密パッキンＢ１５ｄ）によって完全に覆われるようにしている。シャフトＢ１４は、前記窪みＣ３３とシャフト孔Ｂ１２ｄにより両端が枢支されて、ガラリー主体Ｂ１２内で回転できるようになっている。
【００２４】
フィルター囲み部Ｃ１０は、フィルター前面当接部Ｃ３０の外周に沿ってその後方に短く延びるように形成され、等間隔で４か所に切欠部Ｃ１１が形成されており、各切欠部Ｃ１１には、前記外枠Ａの筒部Ａ１０の略Ｌ字状の突起Ａ１１に係合する掛止具Ｃ１１ａと、フィルター押さえ具Ｃ４０との係脱手段Ｃ１２，Ｃ４１が設けられている。
【００２５】
掛止具Ｃ１１ａは、切欠部Ｃ１１の内側において後方に延び、その自由端（後端）側がフィルター囲み部Ｃ１０の半径方向に搖動可能であり、外枠ＡとガラリーＢの相対回転にともなって前記略Ｌ字状の突起Ａ１１と係脱できるようになっている。
【００２６】
このフィルター囲み部Ｃ１０における係脱手段Ｃ１２は、それぞれいずれかの周回方向に延びるように形成された前側、後側の２つで１組の凹部とした係止部Ｃ１２ａ，Ｃ１２ｂであり、これを利用して、図１に示したようなフィルター押さえ具Ｃ４０を取り付けられるようにしている。
【００２７】
フィルター押さえ具Ｃ４０は、前記フィルター囲み部Ｃ１０の内側に嵌るリング状のものであり、その内側に中央の小円状部Ｃ４０ａと半径方向に延びる４つの直線状部Ｃ４０ｂを有しており、フィルター囲み部Ｃ１０との係脱手段Ｃ４１として、前記係止部Ｃ１２ａ，Ｃ１２ｂに係合する突起が形成されている。
【００２８】
フィルターＣ２０は、フィルター囲み部Ｃ１０の内側に収まる円板状のものであり、モダクリル・ポリエステル製のものとすることができる。フィルターＣ２０は、２種類の厚みの異なるものを適宜選択して使用することができる。厚みが小さいフィルターＣ２０を使用する場合は、図４に示したように、各切欠部Ｃ１１の前側の係止部Ｃ１２ａを利用する。図５に示したように、厚みが大きいフィルターＣ２０を使用する場合は、各切欠部Ｃ１１の後側の係止部Ｃ１２ｂを利用する。
【００２９】
以上のように構成されたこの換気口は、外枠Ａの内側にガラリーＢを挿入し、ガラリーＢを時計回り（閉方向）に回転させることにより、一体化する。また、ガラリーＢを反時計回り（開方向）に回転させることにより、外枠ＡからガラリーＢを分離することができる。
【００３０】
〔ロック機構について〕
ガラリーＢは、ガラリー主体Ｂ１２の前面側の４つの直線状部Ｂ１２ｃのうち１つに、その外端部に位置合わせ用印Ｂ１２ｆとなる凸部が形成されている。ガラリーＢにおける係合手段としての３つの突起Ｂ１２ｅのうちの１つは、前記位置合わせ用印Ｂ１２ｆから少し時計回り方向（閉方向）に進んだ位置にある。
【００３１】
また、外枠Ａの鍔部Ａ２０の前面側には「ＯＰＥＮ」と「ＬＯＣＫ」の文字が付された各位置合わせ用印Ａ２０ａ，Ａ２０ｂが形成されている。このうち「ＯＰＥＮ」の位置合わせ用印Ａ２０ａは、前記ガラリーＢの位置合わせ用印Ｂ１２ｆをここに合わせると、案内部Ａ４０の始端に前記係合手段としての突起Ｂ１２ｅが位置し、突起Ｂ１２ｅが案内部Ａ４０において時計回り（閉方向）へ移動可能な非ロック状態になる。前記係合手段の突起Ｂ１２ｅが非ロック状態になると、それ以外の２か所の係合手段の各突起Ｂ１２ｅも同時に非ロック状態となる。
【００３２】
そして、ガラリーＢを時計回り（閉方向）に回転させてその位置合わせ用印Ｂ１２ｆが「ＬＯＣＫ」の位置合わせ用印Ａ２０ｂに到達すると、突起が案内部Ａ４０の終端の嵌め込み部Ａ４１に嵌ってロック状態となり、所定以上の力でガラリーＢを反時計回り（開方向）に回転させない限り、突起Ｂ１２ｅが外れないようになっている。前記係合手段の突起Ｂ１２ｅがロック状態になると、それ以外の２か所の係合手段の各突起Ｂ１２ｅも同時にロック状態となる。なお係合手段Ａ４０，Ｂ１２ｅの位置や個数は適宜変更することができる。
【００３３】
また、前記各係合手段Ａ４０，Ｂ１２ｅがロック状態となっているときには、前記外枠Ａの筒部Ａ１０の略Ｌ字状の突起Ａ１１と、ガラリー後部Ｂ２０のフィルター囲み部Ｃ１０の掛止具Ｃ１１ａが係合しており、外枠ＡとガラリーＢがしっかりと結合し、図３に示した外枠とガラリーの装着状態が維持される。
【００３４】
〔気密機構について〕
ガラリーＢ内において、気密バルブＢ１５はツマミＢ１１を操作することにより、前後に移動させることが可能となっている。この実施形態では、ツマミＢ１１を時計回りに回転させると、シャフトＢ１４も時計回りに回転し、これにともなって気密バルブＢ１５の筒状部Ｂ１５ａの内周面の凸部Ｂ１５ｃがシャフトＢ１４の螺子Ｂ１４ａ上を移動し、気密バルブＢ１５が後方に移動する。気密バルブＢ１５がガラリー後部Ｂ２０のフィルター前面当接部Ｃ３０まで到達すると、フィルター前面当接部Ｃ３０の通気孔Ｃ３１が気密パッキンＢ１５ｄにより塞がれる。
【００３５】
前記通気孔Ｃ３１は、気密バルブＢ１５の平面状の接触面（気密パッキンＢ１５ｄ）によってその周縁付近も含めて全体的に塞がれるので、隙間が生じにくく、高い気密性が得られる。
【００３６】
ツマミＢ１１を反時計回りに回転させると、気密バルブＢ１５が前方に移動し、通気状態となる。
【００３７】
〔フィルター装着機構について〕
ガラリー後部Ｂ２０に厚みの小さいフィルターＣ２０を装着するには、フィルター囲み部Ｃ１０の内側にフィルターＣ２０を配置し、その後方からフィルター押さえ具Ｃ４０を押し込み、後方から見て押さえ具を時計回りに回転させて、その外周部の各突起（係脱手段Ｃ４１）を前側の係止部Ｃ１２ａに掛止させる。厚みの大きいフィルターを装着するには、同様にして、フィルター押さえ具Ｃ４０の外周部の各突起（係脱手段Ｃ４１）を後側の係止部Ｃ１２ｂに掛止させる。
【００３８】
なお、前述の気密機構やフィルター着脱機構は省略ないし変更して実施することができる。
【００３９】
以上がこの発明の好適な実施形態であるが、この考案は上述の実施形態の構成に限定されるものではなく、形状、寸法、材質等を適宜変更して実施することができる。
【符号の説明】
【００４０】
Ａ  外枠
Ａ２０ａ  位置合わせ用印
Ａ２０ｂ  位置合わせ用印
Ａ４０  係合手段（案内部）
Ａ４１  嵌め込み部
Ｂ  ガラリー
Ｂ１１  ツマミ
Ｂ１２ｄ  シャフト孔
Ｂ１２ｅ  係合手段（突起）
Ｂ１２ｆ  位置合わせ用印
Ｂ１４  シャフト
Ｂ１４ｃ  前端部
Ｂ１５  気密バルブ
Ｃ  フィルター着脱機構
Ｃ１０  フィルター囲み部
Ｃ１１  切欠部
Ｃ１１ａ  掛止具
Ｃ１２  係脱手段
Ｃ１２ａ，１２ｂ  係止部
Ｃ２０  フィルター
Ｃ３０  フィルター前面当接部
Ｃ３１  通気孔
Ｃ４０  フィルター押さえ具
Ｃ４１  係脱手段
【要約】
【課題】より製造容易な構造で、外枠とガラリーを簡単に着脱可能かつ、装着状態を維持できるようにした換気口を提供する。
【解決手段】外枠Ａと、外枠Ａに着脱可能としたガラリーからなり、ガラリーは、外枠Ａの前面側の内周縁部に接する前側周部を有し、外枠Ａの内周縁部とガラリーの前側周部に互いの係合手段を設けており、前記係合手段は、外枠Ａとガラリーとの相対回転にともなって移動する突起と案内部Ａ４０からなり、案内部Ａ４０には、突起が嵌り込んでロック状態になる嵌め込み部Ａ４１を設けたものとしている。
【選択図】図６【図１】
0004670115.tif 000002
【図２】
0004670115.tif 000003
【図３】
0004670115.tif 000004
【図４】
0004670115.tif 000005
【図５】
0004670115.tif 000006
【図６】
0004670115.tif 000007
【図７】
0004670115.tif 000008
【図８】
0004670115.tif 000009
【図９】
0004670115.tif 000010
【図１０】
0004670115.tif 000011
【図１１】
0004670115.tif 000012
【図１２】
0004670115.tif 000013